(57)【要約】【課題】垂木掛けと前枠とに亘って屋根板を掛け渡して支持する際に、その屋根板が垂木掛けから落下しないようにした簡易屋根の施工方法とする。【解決手段】垂木掛け１と前枠２と左右の側枠３と垂木４で複数の枠部５を有する屋根枠６と、その各枠部５に取付けた屋根板７を備えた簡易屋根を、その垂木４を連結しない状態で屋根板７を垂木掛け１と前枠２とに亘って掛け渡して支持し、その後に垂木４を連結して枠部５に屋根板７を取付ける施工方法において、前記垂木掛け１に施工治具３０を取付け、その施工治具３０の支持面３０ａに屋根板７を載置して落下しないように支持する施工方法である。【選択図】図５
2008169659.tif 000002
【特許請求の範囲】
【請求項１】
垂木掛けと前枠が左右の側枠で連結され、その垂木掛けと前枠に亘って垂木が連結されて複数の枠部を有した屋根枠と、この各枠部に取付けた屋根板を有した簡易屋根を、前記垂木を取付けしない状態で垂木掛けと前枠とに亘って屋根板を掛け渡して支持し、この後に垂木を連結して枠部を形成すると共に、その枠部に屋根板を取付ける施工方法であって、
前記屋根板を掛け渡して支持する際に、前記垂木掛けに、支持面を有した施工治具を、その支持面が屋根板よりも下方となるように前枠側に張り出して取付け、その施工治具の支持面に屋根板を載置して垂木掛けと前枠とに亘って掛け渡して支持するようにしたことを特徴とする簡易屋根の施工方法。
【請求項２】
屋根板を掛け渡して支持した後に、施工治具を垂木掛けから取り外し、その施工治具を、垂木掛けにおける次の屋根板を取付ける枠部を形成する部分に取付けるようにした請求項１記載の簡易屋根の施工方法。
【請求項３】
屋根施工時に垂木掛けに取付けて屋根板を支持する施工治具であって、
前記屋根板を支持する支持面と上係止部と下支持部を備え、
前記下支持部は、垂木掛けの下支持受部に接することで施工治具の下部を垂木掛けに下向きに回動可能に支持し、
前記上係止部は、垂木掛けの上係止受部に係止することで施工治具の上部を垂木掛けに下向きに回動しないように係止するようにしたことを特徴とする施工治具。
【請求項４】
垂木掛けは、取付部の上部に屋根板を支持するための凹部を有し、この凹部よりも下方に下向きのヒレ片を設けて上係止受部とし、前記取付部のヒレ片よりも下方位置に突片を設けて下支持部とし、
横板と下向きの縦板を有し、その横板に前記下向きのヒレ片に係止する上向片を設けて上係止部とし、
前記下向きの縦板に、前記突片の上面に接する横向片と、突片の先端面に接する縦向片を設けて下支持部とした請求項３記載の施工治具。
【発明の詳細な説明】
【技術分野】
【０００１】
本発明は、テラスの屋根、バルコニーの屋根、カーポートの屋根等の簡易屋根を施工する方法及び、その施工の際に使用する施工治具に関する。
【背景技術】
【０００２】
特許文献１に開示された簡易屋根が知られている。
この簡易屋根は、垂木掛けと前枠を左右の側枠で連結すると共に、前記垂木掛けと前記前枠に亘って垂木に連結して複数の枠部を有する屋根枠と、この屋根枠の各枠部にそれぞれ取付けた屋根板を備えている。
このような簡易屋根を施工現場において施工して組み立てる方法としては、垂木掛けと前枠と一方の側枠でコ字状の枠とし、その状態で屋根板を垂木掛けと前枠とに亘って掛け渡して支持し、その状態で屋根板を垂木掛け、前枠に沿ってスライドして一方の側枠に押しつけ、この後に垂木を取付けて１つの枠部を形成すると共に、その枠部に屋根板を取付ける。
この後に、前述と同様にして屋根板を順次取付け、最後に他方の側枠を連結するようにした方法が知られている。
【特許文献１】特公平３−５４６１号公報
【発明の開示】
【発明が解決しようとする課題】
【０００３】
前述のようにして簡易屋根を施工する方法であると、屋根板を垂木掛けと前枠に亘って掛け渡して支持する際に、その屋根板が垂木掛けから外れて落ちることがあるので、作業者は、その屋根板が垂木掛けから落ちないように注意深く作業しなければならず、施工に手間がかかる。
特に、屋根板の奥行寸法（垂木掛けと前枠との間の寸法）が大きいと、１人の作業者で施工するのが困難で、２人以上の作業者を必要とする。
【０００４】
本発明の目的は、１人の作業者によって屋根板を垂木掛けと前枠に亘って、その屋根板が垂木掛けから落下することなしに簡単に掛け渡して支持できるようにした簡易屋根の施工方法及び、その施工に使用する施工治具を提供することである。
【課題を解決するための手段】
【０００５】
本発明の簡易屋根の施工方法は、垂木掛けと前枠が左右の側枠で連結され、その垂木掛けと前枠に亘って垂木が連結されて複数の枠部を有した屋根枠と、この各枠部に取付けた屋根板を有した簡易屋根を、前記垂木を取付けしない状態で垂木掛けと前枠とに亘って屋根板を掛け渡して支持し、この後に垂木を連結して枠部を形成すると共に、その枠部に屋根板を取付ける施工方法であって、
前記屋根板を掛け渡して支持する際に、前記垂木掛けに、支持面を有した施工治具を、その支持面が屋根板よりも下方となるように前枠側に張り出して取付け、その施工治具の支持面に屋根板を載置して垂木掛けと前枠とに亘って掛け渡して支持するようにしたこ
とを特徴とする簡易屋根の施工方法である。
【０００６】
本発明の施工方法においては、屋根板を掛け渡して支持した後に、施工治具を垂木掛けから取り外し、その施工治具を、垂木掛けにおける次の屋根板を取付ける枠部を形成する部分に取付けるようにすることができる。
このようにすれば、１つの施工治具を用いることで各枠部に屋根板を取付けできる。
【０００７】
本発明の施工治具は、屋根施工時に垂木掛けに取付けて屋根板を支持する施工治具であって、
前記屋根板を支持する支持面と上係止部と下支持部を備え、
前記下支持部は、垂木掛けの下支持受部に接することで施工治具の下部を垂木掛けに下向きに回動可能に支持し、
前記上係止部は、垂木掛けの上係止受部に係止することで施工治具の上部を垂木掛けに下向きに回動しないように係止するようにしたことを特徴とする施工治具である。
【０００８】
本発明の施工治具においては、垂木掛けは、取付部の上部に屋根板を支持するための凹部を有し、この凹部よりも下方に下向きのヒレ片を設けて上係止受部とし、前記取付部のヒレ片よりも下方位置に突片を設けて下支持部とし、
横板と下向きの縦板を有し、その横板に前記下向きのヒレ片に係止する上向片を設けて上係止部とし、
前記下向きの縦板に、前記突片の上面に接する横向片と、突片の先端面に接する縦向片を設けて下支持部とすることができる。
このようにすれば、施工治具を垂木掛けに取付けた状態で、横板の上面が支持面となると共に、その横板の上面を垂木掛けの凹部と連続させることができるから、屋根板を横板の上面に載置した状態で垂木掛けの凹部内にスムーズに挿入することができる。
また、施工治具の横板を手で持って上方に若干の角度を回動することで、横向片が突片の先端面から外れるから、屋根板を取付けた状態で施工治具を簡単に取り外しできる。
【発明の効果】
【０００９】
本発明の施工方法によれば、屋根板を垂木掛けと前枠とに亘って掛け渡して支持する際に、その屋根板の垂木掛け寄り部分が施工治具の支持面に載置されるから、屋根板が垂木掛けから落下することがなく、１人の作業者によって屋根板を垂木掛けと前枠とに亘って、その屋根板が垂木掛けから落下することなしに簡単に掛け渡して支持できる。
【００１０】
本発明の施工治具によれば、下支持部を垂木掛けの下支持受部に支持すると共に、上係止部を垂木掛けの上係止受部に係止することで、施工治具を垂木掛けに取付けできる。
この取付けした状態から施工治具を上方に若干の角度回動することで下支持部を下支持受部から外して取り外しできる。
したがって、施工治具を垂木掛けに簡単に取付け、取り外しできる。
【発明を実施するための最良の形態】
【００１１】
図１と図２に示すように、垂木掛け１と前枠２を左右の側枠３でそれぞれ連結して矩形状とし、その垂木掛け１と前枠２とに亘って複数の垂木４を連結して複数の枠部５を有する屋根枠６としてある。
前記屋根枠６の各枠部５に屋根板７（屋根ふき材）をそれぞれ取付けて簡易屋根としてある。
この実施の形態では側枠３と垂木４間及び垂木４間に野縁８がそれぞれれ連結してある。
また、垂木掛け１が建物外壁９に取付けられ、前枠２が支柱１０で支持されてテラスの屋根としてある。
【００１２】
前記垂木掛け１と前枠２は図３に示すように屋根板７を支持するための凹部１ａ，２ａを有している。
前記垂木掛け１の凹部１ａは前枠２に向けて開口し、かつ長手方向に連続している。
この垂木掛け１の凹部１ａ内に屋根板７の奥行方向の一端部分が挿入され、シール材（先付けビート）１１と後付けビート１２で凹部１ａの開口縁上下部に支持してある。
前記前枠２の凹部２ａは垂木掛け１に向けて開口し、かつ長手方向に連続している。
この前枠２の凹部２ａ内に屋根板７の奥行方向の他端部分が挿入され、シール材（先付けビート）１３と後付けビート１４で凹部２ａの開口縁上下部に支持してある。
【００１３】
前記各側枠３と各垂木４は図４に示すように、屋根板７を支持するための凹部３ａ，４ａを有している。
前記側枠３の凹部３ａは垂木４に向けて開口し、かつ長手方向に連続している。
この側枠３の凹部３ａに屋根板７の幅方向の端部分が挿入され、シール材（先付けビート）１５と後付けビート１６で凹部３ａの開口縁上下部に支持してある。
前記垂木４の凹部４ａは、垂木４の幅方向両側にそれぞれ形成され、かつ長手方向に連続している。
この垂木４の凹部４ａに屋根板７の幅方向の端部分が挿入され、シール材（先付けビート）１７と後付けビート１８で凹部４ａの開口縁上下部に支持してある。
【００１４】
前述の説明において、後付けビート１２，１４，１６，１８は各凹部の開口縁下部と屋根板７の下面との間に押し込んで取付けられ、その屋根板７の上面が各シール材（先付けビート）１１，１３，１５，１７に圧着する。
また、図３においては側枠３、野縁８の図示を省略してあり、図４においては垂木掛け１の図示を省略してある。
【００１５】
次に、簡易屋根の施工方法について説明する。
図５（ａ）に示すように、垂木掛け１と前枠２と一方の側枠３で長コ字形状の枠体２０とする。
前記垂木掛け１の長手方向一端部分（一方の側枠３側の枠部５を形成する部分）に施工治具３０を着脱自在に取付ける。
この施工治具３０は屋根板７の奥行方向一端部分が載置して支持するための支持面３０ａを有している。
前記施工治具３０は垂木掛け１の下部寄りに係脱自在に取付けられ、その支持面３０ａが凹部１ａよりも下方に位置し、かつ凹部１ａの開口端よりも前枠２側に張り出すようにしてある。
【００１６】
例えば、図６に示すように、垂木掛け１の凹部１ａの開口縁下部１ｂと施工治具３０の支持面３０ａが連続し、その支持面３０ａが前述の開口縁下部１ｂよりも前枠２側に向けて張り出すようにしてある。
【００１７】
図５（ａ）に仮想線で示すように、屋根板７を作業者が手で持って持ち上げ、その奥行方向の一端部分７ａを施工治具３０の支持面３０ａに載置して支持しながら、図６に仮想線で示すように垂木掛け１の凹部１ａ内に挿入し、その屋根材７の奥行方向の他端部分７ｂを図３に示すように前枠２の凹部２ａ内に挿入して屋根板７を図５（ｂ）に示すように垂木掛け１と前枠２とに亘って掛け渡して支持する。前記垂木掛け１と前枠２への挿入手順が逆の場合でも可能。
なお、この状態では、後付けビート１２，１４は取付けていない。
【００１８】
前述の状態から、屋根板７を図５（ｂ）に矢印で示すように一方の側枠３に向けて移動し、図５（ｃ）に示すように、屋根板７の幅方向の端部分７ｃを、一方の側枠３の凹部３ａ内に挿入する。
そして、図５（ｄ）に示すように垂木４を垂木掛け１と前枠２とに亘って連結すると共に、前述の各後付けビート１２，１４，１６，１８を取付け、野縁８を取付けて屋根板７を１つの枠部５に取付ける。
【００１９】
この後に、前記施工治具３０を取り外し、その施工治具３０を、図５（ｄ）に示すように垂木掛け１における次の枠部５を形成する部分に取付け、屋根板７を前述のようにして取付ける。
前記施工治具３０は、屋根板７を垂木掛け１と前枠２とに亘って掛け渡して支持した後に取り外しても良いし、その後任意の時期に取り外しても良い。
【００２０】
前述のようにして各枠部５に屋根板７を順次取付け、最後の屋根板７を取付けしたら、最後に他方の側枠３を取付けて枠部５とし、その枠部５に最後の屋根板７を取付ける。
【００２１】
次に、前記施工治具３０の詳細について説明する。
前記施工治具３０は図６と図７に示すように、上係止部３１と下支持部３２を備えている。
前記垂木掛け１は、図６に示すように凹部１ａよりも下方位置に上係止受部４０を有し、この上係止受部４０よりも下方位置に下支持受部４１を有している。
そして、前記下支持部３２を下支持受部４１に接することで施工治具３０は、垂木掛け１に、下方及び垂木掛け１側（躯体９側）に向けて移動しないと共に、前枠２側に向けては移動可能に支持される。つまり、施工治具３０の下部が下向き（矢印ａ）に回動可能に支持される。
前記上係止部３１を前記上係止受部４０に係止すると施工治具３０は、前記垂木掛け１に、前枠２側に向けて移動しないと共に、下方及び垂木掛け１側に向けては移動可能に支持される。つまり、施工治具３０の上部が下向きに回動しないように係止される。
【００２２】
このようであるから、上係止部３１を上係止受部４０に係止するとともに、下支持部３２を下支持受部４１に接することで、施工治具３０を垂木掛け１に係止して取付けできる。
前述のようにして施工治具３０を取付けた状態において、施工治具３０は支持面３０ａが水平に対して前枠２側が下となるように下向きに傾斜した姿勢とし、その施工治具３０の自重によって下支持部３２が下支持受部４１にしっかりと支持されるようにしてある。
なお、施工治具３０を長尺とすれば重心位置が前枠２寄りとなるので、支持面３０ａが水平な姿勢としてしっかりと支持できる。
【００２３】
また、図６に示すように施工治具３０を垂木掛け１に取付けた状態で、矢印ｂで示すように施工治具３０を若干の角度だけ上方に回動することで、下支持部３２が下支持受部４１及び上係止部３１が上係止受部４０から外れるから、施工治具３０を取り外しできる。
【００２４】
前記施工治具３０は、横板３３と、その横板３３の下面に設けた下向きの縦板３４を備え、その横板３３の一端部（垂木掛け側）に上向片３５が一体的に設けてあり、この上向片３５が前記上係止部３１である。
前記下向きの縦板３４の下端部に横向片３６と縦向片３７が鉤形状に設けてあり、その横向片３６と縦向片３７で前記下支持部３２としてある。
前記垂木掛け１は、取付部４２の上部に前述の凹部１ａを有し、その凹部１ａの開口縁下部１ｂと連続して下向きのヒレ片４３が設けてあり、このヒレ片４３に前記上向片３５が係止するようにして、この下向きのヒレ片４３を前記上係止受部４０としてある。
前記垂木掛け１の取付部４２の下部（ヒレ片４３よりも下方位置）には突片４４が前枠２側に向けて突出して設けてあり、この突片４４の上面に前記横向片３６が接すると共に、突片４４の先端面に前記縦向片３７が接するようにして、この突片４４を前記下支持受部４１としてある。
【００２５】
前記横板３３の上面には、摩擦係数が高く、緩衝機能を有するプレート、例えばゴムプレート３８が設けてあり、このゴムプレート３８が前述の支持面３０ａとしてある。
このようであるから、屋根板７がゴムプレート３８に接するので、その屋根板７が滑り落ちづらいし、屋根板７に傷がつかないようにできる。
また、横板３３の他端部（前枠２側）には下向片３９が設けてある。
このようであるから、前述のように施工治具３０を上方に回動して取り外しする際に、前記下向片３９を持って容易に上方に回動できる。
【００２６】
前述の実施の形態では、屋根板７は直線状に取付けてあるが、湾曲して取付けることも可能である。
また、テラスの屋根に限ることはなくバルコニーの屋根、カーポートの屋根等として利用できることは勿論である。
要するに、本発明に係る簡易屋根は、垂木掛け１と前枠２と左右の側枠３と垂木４で複数の枠部５を有する屋根枠６とし、その各枠部５に屋根板７を取付けたものであれば良い。
【図面の簡単な説明】
【００２７】
【図１】簡易屋根の概略平面図である。
【図２】簡易屋根の概略側面図である。
【図３】図１のＡ−Ａ拡大詳細断面図である。
【図４】図１のＢ−Ｂ拡大詳細断面図である。
【図５】屋根の施工方法の実施の形態を示す説明図である。
【図６】施工治具を垂木掛けに取付けた状態の断面図である。
【図７】施工治具の斜視図である。
【符号の説明】
【００２８】
１…垂木掛け、１ａ…凹部、２…前枠、３…側枠、４…垂木、５…枠部、６…屋根枠、７…屋根板、３０…施工治具、３０ａ…支持面、３１…上係止部、３２…下支持部、３３…横板、３４…下向きの縦板、３５…上向片、３６…横向片、３７…縦向片、４０…上係止受部、４１…下支持受部、４２…取付部、４３…下向きのヒレ片、４４…突片。
【図１】
2008169659.tif 000003
【図２】
2008169659.tif 000004
【図３】
2008169659.tif 000005
【図４】
2008169659.tif 000006
【図５】
2008169659.tif 000007
【図６】
2008169659.tif 000008
【図７】
2008169659.tif 000009